(57)【要約】【課題】  ペットＢＯＸの上面及び／または下面に、引出し付ＢＯＸ、棚付ＢＯＸ、扉付ＢＯＸの１つあるいは２つ以上を自由に組合せ使用できることにより、ペット（犬・猫・ハムスター・ウサギ等）に応じて必要なもの（例えば、餌・ブラシ・服・首輪等）を収納したり、ペット以外の自分の小物入れとしても使用でき、部屋の他のインテリアに合せてセッティングできるペット用組合せキャビネットを提供する。【解決手段】  犬や猫等のペットが出入りするペットＢＯＸの上面及び／または下面に、引出し付ＢＯＸ、棚付ＢＯＸ、扉付ＢＯＸの１つあるいは２つ以上を着脱自在に設けてなることを特徴とする。【選択図】  図１
2006006297.tif 000002
【特許請求の範囲】
【請求項１】
犬や猫等のペットが出入りするペットＢＯＸの上面及び／または下面に、引出し付ＢＯＸ、棚付ＢＯＸ、扉付ＢＯＸの１つあるいは２つ以上を着脱自在に設けてなることを特徴とするペット用組合せキャビネット。
【請求項２】
ペットＢＯＸにおいて、犬や猫等が出入りする入口を設けてなることを特徴とする請求項１記載のペット用組合せキャビネット。
【請求項３】
ペットＢＯＸ内に、トレーを設けてなることを特徴とする請求項１又は２記載のペット用組合せキャビネット。
【請求項４】
引出し付ＢＯＸにおいて、複数の引出しを設けてなることを特徴とする請求項１、２又は３記載のペット用組合せキャビネット。
【請求項５】
棚付ＢＯＸにおいて、少なくとも１段の棚板を設けてなることを特徴とする請求項１、２、３又は４記載のペット用組合せキャビネット。
【請求項６】
扉付ＢＯＸにおいて、扉にガラスを設けてなることを特徴とする請求項１、２、３、４又は５記載のペット用組合せキャビネット。
【請求項７】
各ＢＯＸの側面にフック片を設けてなることを特徴とする請求項１、２、３、４、５又は６記載のペット用組合せキャビネット。
【請求項８】
各ＢＯＸの上面に係止片を、下面に係止枠を設けてなることを特徴とする請求項１、２、３、４、５、６又は７記載のペット用組合せキャビネット。
【発明の詳細な説明】
【技術分野】
【０００１】  本発明は、ペットＢＯＸの上面あるいは下面に引出し付ＢＯＸ、棚付ＢＯＸ、扉付ＢＯＸを自由に選んで組合せることができるペット用組合せキャビネットに関するものである。
【背景技術】
【０００２】  従来の技術としては、合成樹脂により一体成形された各パネル部材を組み立てて形成される犬小屋であって、その天井下部分に収納ケースをスライド可能に設けたことを特徴とする組立式犬小屋が開示されている。（特許文献１参照）【０００３】  また、他の実施例として、ケーシング内を複数のペットが個々に収容できるように仕切って複数の収容室を形成し、それぞれの収容室の前面に内部が透視できるような窓を開閉自在に蝶着したペット収容用キャビネットにおいて、それぞれの収容室には、給気用ダクトを介して外気が供給される給気口と、収容室内部の空気を排気用ダクトを介して外部に排出する排気口を設けたことを特徴とするペット収容用キャビネットが開示されている。（特許文献２参照）
【特許文献１】  特開平１１−８９４６９号公報
【特許文献２】  特開２０００−４１５１５号公報
【発明の開示】
【発明が解決しようとする課題】
【０００４】  上記前者の形態のものは、天井下部分に収納ケースを設けてなるものであり、１箇所に設けてあるに過ぎず、多目的に使用することができず、かつ本発明のような自由な組合せができない。【０００５】  また、上記後者の形態のものは、仕切って複数の収容室を形成し、下部に収納ケースを設けてなるもので、主に多くの収容室を必要とするペットホテル向きであり、本発明と目的を異にするものである。【０００６】  本発明は、このような従来の構成が有していた問題を解決しようとするもので、ペットＢＯＸの上面及び／または下面に、引出し付ＢＯＸ、棚付ＢＯＸ、扉付ＢＯＸの１つあるいは２つ以上を自由に組合せ使用できることにより、ペット（犬・猫・ハムスター・ウサギ等）に応じて必要なもの（例えば、餌・ブラシ・服・首輪等）を収納したり、ペット以外の自分の小物入れとしても使用でき、部屋の他のインテリアに合せてセッティングできるペット用組合せキャビネットを提供するものである。
【課題を解決するための手段】
【０００７】  そして、本発明は上記目的を達成するために、犬や猫等のペットが出入りするペットＢＯＸの上面及び／または下面に、引出し付ＢＯＸ、棚付ＢＯＸ、扉付ＢＯＸの１つあるいは２つ以上を着脱自在に設けてなること。また、ペットＢＯＸにおいて、犬や猫等が出入りする入口を設けてなること。ペットＢＯＸ内に、トレーを設けてなること。さらに、引出し付ＢＯＸにおいて、複数の引出しを設けてなること。棚付ＢＯＸにおいて、少なくとも１段の棚板を設けてなること。さらにまた、扉付ＢＯＸにおいて、扉にガラスを設けてなること。各ＢＯＸの側面にフック片を設けてなること。その上、各ＢＯＸの上面に係止片を、下面に係止枠を設けてなることを特徴とする。
【発明の効果】
【０００８】  上述したように、本発明のペット用組合せキャビネットによれば、以下の効果を有するものである。
１）、ペットＢＯＸの上面及び／または下面に、引出し付ＢＯＸ、棚付ＢＯＸ、扉付ＢＯＸの１つあるいは２つ以上を自由に組合せ、着脱自在に設けることにより、ペットに合せて使用でき、必要なものを収納できると共に、自分の小物入れとしても使用できる。
２）、部屋の他のインテリアに合せてセッティングできる。
３）、ペットＢＯＸに、犬や猫等が出入りする入口やトレーを設けることにより、特に内部の掃除が楽に、かつ清潔に行える。
４）、引出し付ＢＯＸに、複数の引出しを設けることにより、多くの小物を分別して収納できる。
５）、棚付ＢＯＸにより、マットやタオル等、大きな物を収納できる。
６）、扉付ＢＯＸにより、色々な物を同時に取り出すのに便利で、特に自分の小物入れとして有効である。
７）、フック片を設けることにより、色々な物（例えば、リード等）を吊り下げて保管できる。
８）、係止片及び係止枠の組合せにより、着脱自在に取り付けでき、左右前後の摩れを防止できる。
【発明を実施するための最良の形態】
【実施例】
【０００９】  １は、ペット用組合せキャビネットである。
２は、犬や猫等のペットが出入りするペットＢＯＸで、前面に出入口２ａ１を設けた扉２ａを設け、内部に寝床となるトレー２ｂを設けると共に、上面に各ＢＯＸと連結（組合せる）する係止片２ｃと係止枠２ｄを設けてある。
３は、引出し付ＢＯＸで、ツマミ３ａ１付の引出し３ａ（この実施例の場合、５箇所）を出し入れ自在に設けてなるもので、側面にフック片３ｂを設けてあり、上記と同様な上面に各ＢＯＸと連結する係止片３ｃと係止枠３ｄを設けてある。
４は、中央に１段の棚板４ａを設けてなる棚付ＢＯＸで、側面に同様なフック片４ｂを設けてあり、上記と同様な上面に各ＢＯＸと連結する係止片４ｃと係止枠４ｄを設けてある。
５は、扉付ＢＯＸで、前面に観音開きのガラス付扉５ａを設けると共に、側面に同様なフック片５ｂを設け、上記と同様な上面に各ＢＯＸと連結する係止片５ｃと係止枠５ｄを設けてある。
６は、側面に同様なフック片６ｃを設けた天板で、上記各係止片を連結すべく、係止枠６ｄを設けてなる。
７は、基台で、上記各係止枠を連結すべく、係止片７ｃを設けてある。【００１０】  なお、上記各ＢＯＸの大きさは同一に設定してもよく、必要に応じて決めればよい。
また、材質は木とするが、特に限定するものではない。【００１１】  上記ペット用組合せキャビネット１について、使用例を述べる。
ペットＢＯＸ２においては、ペット（図示せず）が出入口２ａ１より出入りするもので、トレー２ｂには予めマット等の寝床を設け、必要に応じて引き出して清掃することができる。
引出し付ＢＯＸ３においては、各引出し３ａ内に小物（ティッシュ・ブラシ・服等）を分別して入れることにより、整理・整頓しやすくしてある。
棚付ＢＯＸ４は、棚板４ａの上面や下方にタオルや取替マット等を置いて使用する。
扉付ＢＯＸ５は、ペット以外の自分用として、例えばＣＤ、アクセサリー、化粧品等の小物入れとして使用する。【００１２】  なお、上記実施例において、一番下にペットＢＯＸを置いているが、一番上に置いてもよく、すべてのＢＯＸを同じ大きさに統一すれば、中間位置に置くこともできる。
さらに、各ＢＯＸの組合せは自由で、ペットが２匹（２種類）いれば、ペットＢＯＸを２段重ねて使用すればよく、特に限定するものではない。
また、出入口、引出し、棚板等の数も、必要に応じて決めればよい。
さらにまた、フック片はペットＢＯＸに設けてもよく、各ＢＯＸの両側に設けてもよい。フック片はピン止め等にて上下左右に可動可能に設けてもよい。
【図面の簡単な説明】
【００１３】
【図１】  本発明の実施形態を示すペット用組合せキャビネットの正面図。
【図２】  本発明の実施形態を示すペット用組合せキャビネットの中央縦断正面図。
【図３】  本発明の実施形態を示すペット用組合せキャビネットのペットＢＯＸの扉を開けた正面図。
【図４】  本発明の実施形態を示すペット用組合せキャビネットのペットＢＯＸの平面図。
【図５】  本発明の実施形態を示すペット用組合せキャビネットの引出し付ＢＯＸの正面図。
【図６】  本発明の実施形態を示すペット用組合せキャビネットの引出し付ＢＯＸの平面図。
【図７】  本発明の実施形態を示すペット用組合せキャビネットの棚付ＢＯＸの正面図。
【図８】  本発明の実施形態を示すペット用組合せキャビネットの棚付ＢＯＸの平面図。
【図９】  本発明の実施形態を示すペット用組合せキャビネットの扉付ＢＯＸの正面図。
【図１０】  本発明の実施形態を示すペット用組合せキャビネットの扉付ＢＯＸの平面図。
【図１１】  本発明の実施形態を示すペット用組合せキャビネットの天板の正面図。
【図１２】  本発明の実施形態を示すペット用組合せキャビネットの天板の底面図。
【図１３】  本発明の実施形態を示すペット用組合せキャビネットの基台の正面図。
【図１４】  本発明の実施形態を示すペット用組合せキャビネットの基台の平面図。
【符号の説明】
【００１４】１−−−ペット用組合せキャビネット
２−−−ペットＢＯＸ
３−−−引出し付ＢＯＸ
４−−−棚付ＢＯＸ
５−−−扉付ＢＯＸ
【図１】
2006006297.tif 000003
【図２】
2006006297.tif 000004
【図３】
2006006297.tif 000005
【図４】
2006006297.tif 000006
【図５】
2006006297.tif 000007
【図６】
2006006297.tif 000008
【図７】
2006006297.tif 000009
【図８】
2006006297.tif 000010
【図９】
2006006297.tif 000011
【図１０】
2006006297.tif 000012
【図１１】
2006006297.tif 000013
【図１２】
2006006297.tif 000014
【図１３】
2006006297.tif 000015
【図１４】
2006006297.tif 000016